(57)【特許請求の範囲】
【請求項１】
供給対象へ燃料を供給するために駆動されるポンプ、
前記ポンプの駆動によって供給対象へ供給された燃料液量を計測する流量計、
流量計の流出側と連通され、先端に給油ノズルが接続された給油ホース、
を備えた燃料供給経路と、
前記流量計により計測された燃料液量をはじめとする、供給対象への前記燃料供給経路を使用した燃料供給作業の際における各種燃料供給情報を表示するために設けられ、当該表示する燃料供給情報の種類に対応させて互いの表示する燃料供給情報の種類が異なる複数の個別表示器を有してなる燃料供給情報表示器と、
前記燃料供給経路で供給対象への燃料供給作業が行われていない待機中であることを検出する待機中検出手段と、
前記待機中検出手段によって前記燃料供給経路が待機中であることが検出された場合には、前記燃料供給情報表示器における複数の個別表示器のうちの、少なくとも所定の個別表示器を駆動状態とするとともに、他の個別表示器を駆動休止状態とする表示制御手段と
を設けたことを特徴とする燃料供給装置。
【請求項２】
前記表示制御手段は、前記待機中検出手段によって前記燃料供給経路が待機中であることが検出された場合には、前記複数の個別表示器のうち供給対象へ供給された燃料液量を表示する個別表示器を駆動状態とするとともに、他の個別表示器を駆動休止状態とする
ことを特徴とする請求項１に記載の燃料供給装置。
【請求項３】
供給対象へ燃料を供給するために駆動されるポンプ、
前記ポンプの駆動によって供給対象へ供給された燃料液量を計測する流量計、
流量計の流出側と連通され、先端に給油ノズルが接続された給油ホース、
を備えた燃料供給経路と、
前記流量計により計測された燃料液量をはじめとする、供給対象への前記燃料供給経路を使用した燃料供給作業の際における各種燃料供給情報を表示するために設けられ、当該表示する燃料供給情報の種類に対応させて互いの表示する燃料供給情報の種類が異なる複数の個別表示器を有してなる燃料供給情報表示器と、
前記燃料供給経路で供給対象への燃料供給作業が行われていない待機中であることを検出する待機中検出手段と、
前記燃料供給情報表示器よりも駆動消費電力が小さく、装置の節電稼働状態を案内する状態表示器と、
前記待機中検出手段によって前記燃料供給経路が前記待機中であることが検出された場合には、前記状態表示器を駆動して表示状態にするとともに、前記燃料供給情報表示器を駆動休止状態とする表示制御手段と
を設けたことを特徴とする燃料供給装置。
【発明の詳細な説明】
【技術分野】
【０００１】
本発明は、貯液タンクに貯留されている燃料を車両等の供給対象に供給する燃料供給装置に係り、特に燃料供給作業時における燃料供給量等の各種情報を表示するため、各情報毎の表示器を備えた燃料供給装置に関する。
【背景技術】
【０００２】
燃料供給装置の一種として、ガソリンスタンド等の給油所に設置され、給油ノズルの筒先を車両等の給油口に挿入し、ガソリン、軽油等といった燃料を車両等に補給する給油装置が知られている。給油装置は、車両等への燃料補給の際、地下タンクからポンプで汲み上げた燃料を、給油配管、給油ホース、及び給油ホース先端に設けられた給油ノズルといった燃料供給経路を介して、供給対象である車両等へ供給する構成になっており、燃料供給経路に設けられた流量計によって車両等に補給された給油量を計測し、給油量を含む給油作業（燃料供給作業）の際における給油情報は、複数の表示器に表示される構成になっている。ここで、給油作業の際における給油情報としては、例えば、単価、給油量、単価と給油量とを乗算してなる給油金額、等が該当する。
【０００３】
特許文献１の第１図には、給油情報としての単価、給油量、給油金額それぞれを表示する単価表示器、給油量表示器、給油金額表示器からなる複数の表示器を、外部から目視可能にハウジングに設けた給油装置が開示されている。
【０００４】
一方、特許文献２には、給油作業が行われておらず、次の新たな給油作業の開始に備えて給油装置が待機状態にあるときには、直近に終了した給油作業での給油情報としての給油量を表示している表示器を、作業者等に表示値等が見えない無表示状態（ブランキング状態）にする表示制御手段を備えることにより、省エネルギーを図った給油装置が開示されている。
【先行技術文献】
【特許文献】
【０００５】
【特許文献１】第２５５１４５０号特許公報
【特許文献２】特開平７−２５７６９７号公報
【発明の概要】
【発明が解決しようとする課題】
【０００６】
特許文献１に記載の複数の表示器を備えた給油装置において、省エネルギー化を図るためには、特許文献２に記載の表示制御手段を組み合わせ、給油装置が待機状態である場合には全ての表示器による表示を無表示状態（＝消灯状態）とすることが考えられる。しかしながら、上述した給油装置では、待機状態において全ての表示器は無表示状態で何も表示されないため、作業者は、給油装置が給油作業に使用可能であるか否か、すなわち給油作業が行える稼動中状態、又は装置電源が落とされていて給油装置が起動されていない非稼動状態のいずれであるかを、はっきり理解することができない、という問題点が生じていた。
【０００７】
本発明は、上述した問題点を鑑み、待機状態における燃料供給装置の省エネルギー化をはかりながら、燃料供給装置が燃料供給作業に使用可能であるか否かを作業者が容易に理解できるようにした燃料供給装置を提供することを目的とする。
【課題を解決するための手段】
【０００８】
本発明に係る燃料供給装置は、上記した課題を解決するために、供給対象へ燃料を供給するために駆動されるポンプと、ポンプの駆動によって供給対象へ供給された燃料液量を計測する流量計と、流量計により計測された燃料液量をはじめとする、供給対象への燃料供給作業における各種燃料供給情報を表示するため、当該表示する燃料供給情報の種類に対応させた複数の個別表示器を有してなる燃料供給情報表示器と、供給対象への燃料供給作業が行われていない待機中であることを検出する待機中検出手段と、待機中検出手段によって待機中であることが検出された場合には、燃料供給情報表示器における複数の個別表示器の中、少なくとも所定の個別表示器の駆動状態とするとともに、他の個別表示器を駆動休止状態とする表示制御手段とを設けたことを特徴とする。
【０００９】
また、本発明に係る燃料供給装置は、供給対象へ燃料を供給するために駆動されるポンプと、ポンプの駆動によって供給対象へ供給された燃料液量を計測する流量計と、流量計により計測された燃料液量を含む、供給対象への燃料供給作業の際における燃料供給情報を表示する燃料供給情報表示器と、供給対象への燃料供給作業が行われていない待機中であることを検出する待機中検出手段と、燃料供給情報表示器よりも駆動消費電力が小さな状態表示器と、待機中検出手段によって待機中であることが検出された場合には、状態表示器を駆動して表示状態にするとともに、燃料供給情報表示器を駆動休止状態とする表示制御手段とを設けたことを特徴とする。
【発明の効果】
【００１０】
本発明によれば、供給対象への燃料供給作業が行われていない待機中であるときには、複数の表示器の中、所定の表示器が駆動され、他の表示器は駆動停止されるので、燃料供給情報表示器の駆動電力の省エネルギー化が図れるとともに、かつ作業者は燃料供給装置が燃料供給作業に使用可能であることを確実かつ容易に理解することができる。
【００１１】
上記した以外の、課題、構成及び効果は、以下の実施の形態の説明により明らかにされる。
【図面の簡単な説明】
【００１２】
【図１】本発明に係る燃料供給装置の一実施形態としての給油装置の一実施例の概略構成図である。
【図２】実施例の給油装置に備えられた給油情報表示器の拡大図である。
【図３】本実施例の給油情報表示器にさらに設けられた状態表示器の拡大図である。
【図４】制御装置が省エネ表示制御部として給油装置の待機状態で実行する省エネ表示制御の一実施例のフローチャートである。
【図５】図４に示した省エネ表示制御の一実施例のフローチャートの続きである。
【図６】制御装置が省エネ表示制御部として給油装置による給油作業中状態に実行する省エネ表示制御の一実施例のフローチャートである。
【図７】それぞれ液晶ディスプレイにより構成された個別表示器のバックライト処理の一実施例を示したフローチャートである。
【発明を実施するための形態】
【００１３】
本発明に係る燃料供給装置の一実施の形態について、ガソリンスタンド等の給油所に設置され、給油ノズルの筒先を車両等の給油口に挿入し、ガソリン、軽油といった燃料を車両等に補給する給油装置を例に説明する。
【００１４】
図１は、本発明に係る燃料供給装置の一実施形態としての給油装置の一実施例の概略構成図である。
【００１５】
図示の例では、給油装置１は、地上設置式の給油装置を示している。給油装置１は、給油装置本体２内に、ポンプモータ１２により駆動されるポンプ１１、ポンプ１１から吐出された燃料の液量を計測するための流量計１３が収納されている一方、給油装置本体２からは、流量計１３の流出側と内部配管１５を介して連通され、先端に給油ノズル１７が接続された給油ホース１６が導出された構造になっている。ポンプ１１の吸い込み側は、地下配管４１を介して、油液を貯溜する地下タンク４２内の液中に連通接続されている。
【００１６】
給油装置１において、ポンプ１１により地下タンク４２内から汲み上げられた油液は流量計１３に供給され、その液量が計測される。流量計１３には流量発信器１４が付設され、単位流量毎の油液の流れに比例した流量パルスが出力される。
【００１７】
給油ノズル１７は、給油作業で使用されないときは、給油装置本体２に設けられたノズル収納部１８に格納されている。給油ノズル１７は、給油作業時、ノズル収納部１８から取り出され、先端の吐出パイプを車両等の給油口に挿入し、操作レバーを操作して内蔵された開閉弁を開弁して、燃料の補給ができるようになっている。ノズル収納部１８には、給油ノズル１７の取り出し及び掛け戻しを検知するためのノズルスイッチ１９が設けられている。給油作業の際における給油量等の給油情報は、その表示面を給油装置本体２から外部に臨ませて設けられた、燃料供給情報表示器としての給油情報表示器２０に表示される。
【００１８】
図２は、本実施例の給油装置に備えられた給油情報表示器の拡大図である。
給油情報表示器２０は、給油情報としての単価、給油量、給油金額それぞれを表示する単価表示器２２、給油量表示器２３、給油金額表示器２４からなる個別表示器２１を、給油情報表示器２０の化粧版に形成された表示窓から、それぞれ外部から目視可能に臨ませて設けた構成になっている。個別表示器２１としては、液晶ディスプレイ、有機ＥＬディスプレイ、プラズマディスプレイ等の表示器装置が利用可能である。以下、本実施例においては、個別表示器２１として、セグメント液晶パネルとバックライトとを組み合わせて構成された液晶ディスプレイが適用されているものとして説明する。
【００１９】
また、図示の実施例では、給油情報表示器２０には、単価表示器２２、給油量表示器２３、給油金額表示器２４に加えて、１又は複数の、例えばＬＥＤ（Light Emitting Diode）のような上述した個別表示器２１に比べて電力消費が極めて低い電力消費低表示素子２６を組み合わせて構成された状態表示器２５が、さらに設けられた構成になっている。
【００２０】
図３は、本実施例の給油情報表示器にさらに設けられた状態表示器の拡大図である。
図示の例では、状態表示器２５は、省エネ状態案内ランプ２７、メンテナンス情報案内ランプ２８、異常時警報ランプ２９としての３つの電力消費低表示素子２６が設けられた構成になっている。省エネ状態案内ランプ２７は、その点灯により、給油情報表示器２０を含めた給油装置１の省エネ稼動状態（節電稼動状態）を案内する。メンテナンス情報案内ランプ２８は、その点灯により、自己診断機能によって検出された給油装置１に備えられた消耗部品の交換等を案内する。異常時警報ランプ２９は、自己診断機能によって検出された給油装置１における異常発生を案内する。なお、ここで述べた自己診断機能とは、例えば流量計等の各機器の動作状況から、各機器の故障の有無を給油装置自身で診断する機能である。
【００２１】
また、本実施例の場合では、図１に示すように、給油装置本体２としての、給油情報表示器２０の化粧版に形成された表示窓から個別表示器２１の場合と同様にして外部に臨ませて、人検知センサ３５が設けられている。人検知センサ３５は、例えば、赤外線センサや、人や車両を識別認識可能なイメージセンサを使用して構成されている。人検知センサ３５は、給油装置本体２から所定範囲内における人や車両等の所在の有無を検出し、人や車両等の所在を確認した場合は検出信号を出力する。
【００２２】
給油装置本体２内には、ポンプ１１、流量計１３等といった機器に加え、給油装置各部を制御する制御装置３０が備えられている。制御装置３０は、メモリ、入出力インタフェース等を備えたマイクロコンピュータ装置を含んで構成されている。制御装置３０には、ノズルスイッチ１９の検出信号、人検知センサ３５の検出信号、等が入力され、これら信号入力に基づいて、給油装置各部を制御する。
【００２３】
具体的に、制御装置３０は、ノズルスイッチ１９からの検知信号に基づき、給油ノズル１７のノズル収納部１８からの取り出しによりポンプモータ１２を駆動し、給油ノズル１７のノズル収納部１８への掛け戻しによりポンプモータ１２の駆動を停止させ、給油ノズル１７への油液の送液を制御する油液供給制御部として機能する。また、制御装置３０は、流量発信器１４からの流量パルスの入力に基づき、給油作業時における給油量、給油金額等を演算して、これら給油情報を給油情報表示器２０の対応する個別表示器２１に表示する給油量演算表示部として機能する。
【００２４】
さらに、制御装置３０は、給油所内ローカルエリアネットワーク（いわゆる、給油所ＬＡＮ）を介して図示せぬ給油所用ＰＯＳ端末機（販売時点情報管理機）と通信接続され、給油所用ＰＯＳ端末機から供給される給油作業許可信号や給油作業禁止信号の受信に基づいて、上述した給油ノズル１７の操作に基づくポンプモータ１２の駆動をはじめとする装置各部の作動を許可又は禁止し、給油作業が終了した際には給油量等の給油情報を給油所用ＰＯＳ端末機に伝票発行等のために送信するようになっている。
【００２５】
そして、本実施例に係る給油装置１の制御装置３０は、上述した機能に加えて、車両等の供給対象への燃料供給作業、すなわち給油作業が行われていない待機中であることを検出し、給油装置１が待機中である場合には、給油情報表示器２０における複数の個別表示器２１（表示器２２，２３，２４）の中、少なくとも所定の個別表示器２１の駆動状態を維持するとともに、他の個別表示器２１をその駆動電源が供給されていない駆動休止状態に切り換え或いは維持する省エネ表示制御部としても機能する。
【００２６】
このように構成された本実施例の給油装置１にあっては、省エネ表示制御部としての制御装置３０は、図４〜図６に示すようにして、給油作業が行われていない待機中の検出や、給油装置１が待機中である場合における、給油情報表示器２０における複数の個別表示器２１（表示器２２，２３，２４）の駆動制御を行うようになっている。
【００２７】
図４，図５は、制御装置が省エネ表示制御部として給油装置の待機状態で実行する省エネ表示制御の一実施例のフローチャートである。
【００２８】
図６は、制御装置が省エネ表示制御部として給油装置による給油作業中状態に実行する省エネ表示制御の一実施例のフローチャートである。
【００２９】
制御装置３０には、図４，図５にそれぞれ示したフローチャートの一連の省エネ表示制御処理を実行するに当たり、そのメモリには、個別表示器２１毎の液晶ディスプレイのバックライトの状態を指示及び記憶しておくためのバックライトフラグｂｆ(ｎ)と、給油情報表示器２０についての省エネ表示制御状態を指示及び記憶しておくためのバックライトoff機能フラグｗｆとが、ワークエリアに設けられている。
【００３０】
また、制御装置３０のメモリには、給油所内ローカルエリアネットワークを介して通信接続された給油所用ＰＯＳ端末機から、給油作業を行うに当たって、給油作業許可信号とともに顧客固有の給油単価情報が送信されて給油単価が指定された場合に、この指定された給油単価を給油作業許可された給油作業における給油金額の演算に用いるために一時記憶しておく指定単価記憶エリアも設けられている。
【００３１】
バックライトフラグｂｆ(ｎ)は、そのフラグ値０，１，２に応じて、個別表示器２１との液晶ディスプレイのバックライトの状態として、バックライトの消灯状態（ｂｆ(ｎ)＝０），バックライトの点灯状態（ｂｆ(ｎ)＝１），バックライトの点滅状態（ｂｆ(ｎ)＝２）を指示及び記憶する。バックライトフラグｂｆ(ｎ)は、給油情報表示器２０に備えられている個別表示器２１（２１-１，２１-２，…，２１-ｎ）毎に、すなわち、本実施例では、単価表示器（ｂｆ(１)）２２、給油量表示器（ｂｆ(２)）２３、給油金額表示器（ｂｆ(３)）２４毎に、３つのバックライトフラグｂｆ(ｎ)＜ｎ＝１，２，３＞が設けられる。
【００３２】
バックライトoff機能フラグｗｆは、そのフラグ値１，２，３に応じて、省エネ表示制御状態として、バックライトoff機能有りの第１の仕様状態（ｗｆ＝１），バックライトoff機能有りの第２の仕様状態（ｗｆ＝２），バックライトoff機能無しの仕様状態（ｗｆ＝３）を指示及び記憶する。ここでは、バックライトoff機能有りの第１の仕様状態（ｗｆ＝１）は、給油作業が行われていない待機中である場合に、個別表示器２１（２１-１，２１-２，…，２１-ｎ）全て、すなわち、本実施例では、単価表示器２２、給油量表示器２３、給油金額表示器２４それぞれのバックライトの駆動電源が落とされた消灯状態（駆動休止状態）に指示及び記憶することを示す。同様に、バックライトoff機能有りの第２の仕様状態（ｗｆ＝２）は、給油作業が行われていない待機中である場合に、所定の個別表示器２１のみ、すなわち本実施例では、給油量表示器２３のみのバックライトだけを点灯状態に、その余の単価表示器２２及び給油金額表示器２４のバックライトの駆動電源は落とされた消灯状態に指示及び記憶することを示す。これらに対し、バックライトoff機能無しの仕様状態（ｗｆ＝３）は、給油作業が行われていない待機中である場合あっても、個別表示器２１（２１-１，２１-２，…，２１-ｎ）全て、すなわち本実施例では、単価表示器２２、給油量表示器２３、給油金額表示器２４それぞれのバックライトを点灯状態に指示及び記憶することを示す。
【００３３】
その上で、制御装置３０は、上述したバックライトフラグｂｆ(ｎ)、バックライトoff機能フラグｗｆを設定記憶制御して、図４，図５に示したフローチャートの手順で、給油情報表示器２０における各個別表示器２１（２１-１，２１-２，…，２１-ｎ）、すなわち本実施例では、単価表示器２２、給油量表示器２３、給油金額表示器２４それぞれのバックライト制御を含めた省エネ表示制御を実行する。
【００３４】
制御装置３０は、装置電源が投入されて給油装置１が起動されると（ステップＳ010）、給油装置１の各部のイニシャライズ処理を行い、省エネ表示制御では、バックライトフラグｂｆ(ｎ)の初期設定を行う。この初期設定では、各個別表示器２１の故障を確認できるように、個別表示器２１（２１-１，２１-２，…，２１-ｎ）全て、すなわち単価表示器２２、給油量表示器２３、給油金額表示器２４それぞれのバックライトが全て点灯状態になるように、バックライトフラグｂｆ(ｎ)をｂｆ(１)＝１，ｂｆ(２)＝１，ｂｆ(３)＝１に設定記憶する（Ｓ020）。
【００３５】
そして、制御装置３０は、この設定記憶したバックライトフラグｂｆ(１)，ｂｆ(２)，ｂｆ(３)それぞれに基づいて、単価表示器２２、給油量表示器２３、給油金額表示器２４それぞれのバックライトの駆動制御処理、すなわちバックライト処理を行う（Ｓ030）。この場合では、給油情報表示器２０の各個別表示器２１（２１-１，２１-２，…，２１-ｎ）を構成する液晶ディスプレイそれぞれについて表示駆動検査を行うために、個別表示器２１それぞれ、すなわち単価表示器２２、給油量表示器２３、給油金額表示器２４それぞれのバックライトを、一旦、全て点灯状態にする（Ｓ030）。
【００３６】
その上で、制御装置３０は、単価表示器２２、給油量表示器２３、給油金額表示器２４それぞれのセグメント液晶パネルの各セグメントを、例えば最小値０から最大値９まで全桁インクメント表示する（Ｓ040）。これにより、単価表示器２２の場合は、００００００，１１１１１１，…，９９９９９９が表示され、そのバックライト及びセグメント液晶パネルの故障が視認できるようになっている。
【００３７】
制御装置３０は、このようにして装置電源の投入時における給油情報表示器２０の駆動検査を終えると、給油作業が行われておらず、次の新たな給油作業の開始に備えて，一旦、給油情報表示器２０を省エネ待機状態にするか否かを監視する（Ｓ050，060）。
【００３８】
本実施例では、制御装置３０は、人検知センサ３５からの検出信号を基に、給油装置本体２に人や車両等が近づいて所定範囲内に所定時間（例えば、１秒以上）留まっていることが検出されておらず（Ｓ050）、ノズルスイッチ１９からの取り出し及び掛け戻し検知信号の入力や、給油所用ＰＯＳ端末機からの給油作業許可及び給油作業禁止信号の受信を基に、新たな給油作業が開始されない給油装置１の非使用状態が所定時間（例えば、３０秒以上）継続している場合は（Ｓ060）、給油情報表示器２０を省エネ待機状態にすることを検出する構成になっている。
【００３９】
制御装置３０は、ステップＳ050，060で示した省エネ待機状態への移行検出処理で、省エネ待機状態への移行を検出すると、ステップＳ70〜Ｓ110に示した給油情報表示器２０の表示状態切換処理を行う。
【００４０】
表示状態切換処理では、制御装置３０は、まず、給油情報表示器２０についての省エネ表示制御状態を指示及び記憶しておくためのバックライトoff機能フラグｗｆの設定記憶内容を確認する（Ｓ070）。そして、制御装置３０は、バックライトoff機能フラグｗｆの設定記憶内容に応じて、給油情報表示器２０の表示状態の切り換えを行う。
【００４１】
制御装置３０は、バックライトoff機能フラグｗｆの設定記憶内容がｗｆ＝１でバックライトoff機能有りの第１の仕様状態が指示されている場合は、単価表示器２２及び給油金額表示器２４それぞれのセグメント液晶パネルについて、単価及び給油金額の表示値を消して無表示状態にする（Ｓ081）。そして、単価表示器２２，給油量表示器２３，給油金額表示器２４に係るバックライトフラグｂｆ(１)，ｂｆ(２) ，ｂｆ(３)を０にして、単価表示器２２，給油量表示器２３，給油金額表示器２４それぞれのバックライトの消灯状態を指示及び記憶する（Ｓ082）。これにより、給油情報表示器２０の表示状態は、単価表示器２２，給油量表示器２３，給油金額表示器２４それぞれのバックライトが消灯した状態で、給油量表示器２３のセグメント液晶パネルで給油量の値が確認できる表示状態に切り換え指示される。
【００４２】
また、制御装置３０は、バックライトoff機能フラグｗｆの設定記憶内容がｗｆ＝２でバックライトoff機能有りの第２の仕様状態が指示されている場合は、単価表示器２２及び給油金額表示器２４それぞれのセグメント液晶パネルについて、単価及び給油金額の表示値を消して無表示状態にする（Ｓ091）。そして、単価表示器２２，給油金額表示器２４に係るバックライトフラグｂｆ(１)，ｂｆ(３)を０にする一方、給油量表示器２３に係るバックライトフラグｂｆ(２)は１にして、単価表示器２２及び給油金額表示器２４それぞれのバックライトの消灯状態、並びに給油量表示器２３のバックライトの点灯状態を指示及び記憶する（Ｓ092）。これにより、給油情報表示器２０の表示状態は、単価表示器２２，給油金額表示器２４それぞれのバックライトが消灯した状態で、給油量表示器２３のみ、バックライトが点灯した状態で、セグメント液晶パネルで給油量の値が確認できる表示状態に切り換え指示される。
【００４３】
ここで、単価表示器２２，給油量表示器２３，給油金額表示器２４のうち、給油量表示器２３のみが表示状態になっているので、作業者は、給油装置による給油が可能であるということを容易に認識することができる。また、全ての表示器を表示駆動させる場合と比べて、電力消費量が少ないので、省電力化が図られる。さらに、給油量表示器により給油量が表示されているので、作業者は、前回の給油量を容易に確認することができる。
【００４４】
また、制御装置３０は、バックライトoff機能フラグｗｆの設定記憶内容がｗｆ＝３でバックライトoff機能無しの仕様状態が指示されている場合は、単価表示器２２及び給油金額表示器２４それぞれのセグメント液晶パネルについて、単価及び給油金額の表示値を消して無表示状態にする（Ｓ101）。これにより、給油情報表示器２０の表示状態は、単価表示器２２，給油量表示器２３，給油金額表示器２４それぞれのバックライトが点灯した状態で、給油量表示器２３のみ、セグメント液晶パネルで給油量の値が確認できる表示状態に切り換え指示される。
【００４５】
なお、ステップＳ081，Ｓ091，Ｓ101で、単価表示器２２及び給油金額表示器２４それぞれのセグメント液晶パネルについて、単価及び給油金額の表示値を消して無表示状態にするようにしたのは、従前に給油作業を行った顧客に対しての単価が、これから給油作業を開始しようとする顧客に視られ、比較されないようにするためである。
【００４６】
そして、制御装置３０は、このようにして設定記憶したバックライトフラグｂｆ(１)，ｂｆ(２)，ｂｆ(３)それぞれに基づいて、単価表示器２２、給油量表示器２３、給油金額表示器２４それぞれのバックライトの駆動制御処理、すなわちバックライト処理を行って、給油情報表示器２０における単価表示器２２，給油量表示器２３，給油金額表示器２４それぞれの表示状態を実際に切り換え、或いは表示状態を維持する（Ｓ110）。
【００４７】
一方、制御装置３０は、ステップＳ050，060で示した省エネ待機状態への移行検出処理で、省エネ待機状態への移行が未だ検出できない場合や、ステップＳ70〜Ｓ110に示した給油情報表示器２０の表示状態切換処理を終えた場合は、給油情報表示器２０の省エネ待機状態を終了させる必要があるため、新たな給油作業の開始状態が生じたか否かを監視する（Ｓ120）。制御装置３０は、例えば、人検知センサ３５からの検出信号を基に、給油装置本体２に人や車両等が近づいて所定範囲内に所定時間（例えば、１秒以上）留まっていることが検出されたり、ノズルスイッチ１９からの取り出し検知信号が入力されたり、給油所用ＰＯＳ端末機からの給油作業許可信号を受信した場合等は、給油情報表示器２０の省エネ待機状態を終了させる必要がある、新たな給油作業の開始状態が生じたことを検出する構成になっている。したがって、制御装置３０は、新たな給油作業の開始状態が生じたことが検出されない間は、ステップＳ050〜Ｓ110で説明した、給油情報表示器２０の表示状態切換処理を含む、待機状態の省エネ表示制御を実行することになる。これに対し、制御装置３０は、新たな給油作業の開始状態が生じたことを検出した場合は、図５のステップＳ140以降に示した非待機状態の省エネ表示制御を実行することになる。
【００４８】
この場合、制御装置３０は、単価表示器２２，給油量表示器２３，給油金額表示器２４に係るバックライトフラグｂｆ(１)，ｂｆ(２) ，ｂｆ(３)それぞれを１にして、単価表示器２２，給油量表示器２３，給油金額表示器２４それぞれのバックライトの点灯状態を指示及び記憶する（Ｓ140）。そして、この設定記憶したバックライトフラグｂｆ(１)，ｂｆ(２)，ｂｆ(３)それぞれに基づいて、単価表示器２２、給油量表示器２３、給油金額表示器２４それぞれのバックライト処理を行う（Ｓ150）。これにより、給油情報表示器２０における単価表示器２２，給油量表示器２３，給油金額表示器２４それぞれの実際の表示状態が、バックライトの点灯状態に切り換わる。さらに、制御装置３０は、給油作業の開始に備えてそのバックライト及びセグメント液晶パネルの故障を視認できるように、単価表示器２２、給油量表示器２３、給油金額表示器２４それぞれのセグメント液晶パネルの各セグメントを、例えば値を８にして例えば０.７５秒間だけ全桁瞬時表示する（Ｓ160）。
【００４９】
その後、制御装置３０は、給油所用ＰＯＳ端末機から、給油作業を行うに当たって給油作業許可信号とともに顧客固有の給油単価情報が送信されてきているか否かを確認し（Ｓ170）、その確認結果に基づいて、ステップＳ180〜Ｓ210で示した単価表示器２２、給油量表示器２３、給油金額表示器２４それぞれの表示値のリセット処理等を行う。ここで、制御装置３０は、顧客固有の給油単価情報が送信されてきたことを確認した場合は、この指定された給油単価を給油作業許可された給油作業における給油金額の演算に用いるために一時記憶しておく指定単価記憶エリアに設定記憶するようになっている。
【００５０】
制御装置３０は、表示値のリセット処理では、新たな給油作業の開始に当たり顧客固有の単価が指定単価記憶エリアに設定記憶されている場合は、その値を給油情報表示器２０における単価表示器２２のセグメント液晶パネルに表示するともに、給油量表示器２３のセグメント液晶パネルには、給油作業開始前のリセット値としての０.００の値を、給油金額表示器２４のセグメント液晶パネルには、給油作業開始前のリセット値としての０の値を表示する（Ｓ180）。    
【００５１】
これに対し、制御装置３０は、新たな給油作業の開始に当たり顧客固有の単価が指定単価記憶エリアに設定記憶されていない場合は、給油量表示器２３のセグメント液晶パネルについてのみ、給油作業開始前のリセット値としての０.００の値を表示する（Ｓ190）。その上で、制御装置３０は、バックライトoff機能フラグｗｆの設定記憶内容がｗｆ＝３でバックライトoff機能無しの仕様状態が指示されているか否かを確認する（Ｓ200）。この確認の結果、バックライトoff機能フラグｗｆの設定記憶内容がｗｆ＝１若しくはｗｆ＝２で、バックライトoff機能有りが設定されている場合は、単価表示器２２，給油金額表示器２４に係るバックライトフラグｂｆ(１)，ｂｆ(３)を０にする一方、給油量表示器２３に係るバックライトフラグｂｆ(２)は１にして、単価表示器２２及び給油金額表示器２４それぞれのバックライトの消灯状態、並びに給油量表示器２３のバックライトの点灯状態を指示及び記憶する（Ｓ210）。これにより、新たな給油作業の開始に当たり顧客固有の単価が指定単価記憶エリアに設定記憶されておらず、バックライトoff機能フラグｗｆの設定記憶内容がｗｆ＝１若しくはｗｆ＝２で、バックライトoff機能有りが設定されている場合は、単価表示、給油金額表示の必要がないため、単価表示器２２及び給油金額表示器２４それぞれのバックライトの消灯状態が指示及び記憶される。
【００５２】
制御装置３０は、ステップＳ180〜Ｓ210で示した表示値のリセット処理を行った後は、給油作業中状態に省エネ表示制御部として実行する省エネ表示制御を含む給油処理を実行するとともに（Ｓ220）、給油作業の終了を監視する（Ｓ230）。そして、制御装置３０は、装置電源が落とされて給油装置１自体が非稼働状態にならない間は、ステップＳ230で給油作業の終了が確認されない場合は、ステップＳ220で示した給油処理、及びステップＳ230で示した給油作業の終了監視処理を繰り返し行う一方、給油作業の終了が確認された場合は、図４に示すステップＳ050に戻り、再び給油装置の待機状態での省エネ表示制御処理を実行する。
【００５３】
また、ここで、待機状態が繰り返されている場合（例：S060〜S070〜S081〜S120〜S060）には、単価表示器２２、給油金額表示器２４それぞれのバックライトの消灯状態が指示及び記憶され続けているので、制御装置３０により単価表示器２２、給油金額表示器２４の消灯状態が維持されることになる。また、給油量表示器２３についても、待機状態が繰り返されている場合（S060〜S070〜S091〜S120〜S060）には、駆動状態が維持されることになる。
【００５４】
次に、上述したステップＳ220で示した、給油作業中状態での省エネ表示制御を含む給油処理の詳細な実施例について、図６に基づいて説明する。
【００５５】
制御装置３０は、図５においてステップＳ180〜Ｓ210で示した表示値のリセット処理を行ったならば、図６のステップＳ510に示したように、バックライトフラグｂｆ(１)，ｂｆ(２)，ｂｆ(３)それぞれに記憶された設定記憶内容に基づいて、給油情報表示器２０の単価表示器２２、給油量表示器２３、給油金額表示器２４それぞれのバックライト処理を行う（Ｓ510）。
【００５６】
そして、制御装置３０は、給油ノズル１７の操作により車輌等の供給対象への燃料供給が開始されると、給油量演算表示部として、供給対象への供給燃料を計測する流量計１３に付設された流量発信器１４から流量信号として供給される、単位流量毎の燃料の流れに対応した流量パルスを計数し（Ｓ520）、その計数値ｘから給油量を演算し、給油情報表示器２０の給油量表示器２３におけるセグメント液晶パネルにその演算値を表示する（Ｓ530）。したがって、この給油作業中状態では、図５においてステップＳ180〜Ｓ210で示した表示値のリセット処理を行った関係から、バックライトoff機能フラグｗｆの設定記憶内容にかかわらず、給油作業中状態においては、給油量は、給油情報表示器２０の給油量表示器２３に、バックライトが点灯した状態で表示される。
【００５７】
また、制御装置３０は、給油量演算表示部として、上述したＳ520，Ｓ530による給油量の演算表示処理と並行して、単価の設定の有無に応じて給油金額の演算処理も行う。給油金額の演算処理では、顧客固有の単価が給油作業の開始に際して設定されているか否かを確認し（Ｓ540）、設定されている場合は、その際に指定単価記憶エリアに設定記憶された単価を基にして給油金額を演算して表示する（Ｓ550）。この場合、バックライトoff機能フラグｗｆの設定記憶内容がｗｆ＝１若しくはｗｆ＝２で、バックライトoff機能有りが設定されている場合は、図５において、給油作業の開始に備えて単価表示器２２，給油量表示器２３，給油金額表示器２４それぞれのバックライト及びセグメント液晶パネルの故障確認のためにステップＳ140で設定された、バックライトフラグｂｆ(１)，ｂｆ(２) ，ｂｆ(３)それぞれを１にする設定内容は、ステップＳ200，Ｓ210で示した表示値のリセット処理で変更されていないため、顧客固有の単価が給油作業の開始に際して設定されている給油作業中状態では、給油金額も、給油情報表示器２０の給油金額表示器２４に、バックライトが点灯した状態で表示される。
【００５８】
そして、制御装置３０は、給油作業中状態における供給対象への燃料供給が供給中であるか否か、換言すれば、給油作業中状態において供給対象への燃料供給が供給中断又は停止された状態にあるか否かを、ステップＳ520で給油量演算表示部として演算した計数値ｘ、すなわち供給対象に対しての給油量に変化があるか否かによって確認する（Ｓ560）。
【００５９】
この結果、制御装置３０は、計数値ｘに１秒以上変化がなく、給油作業中状態において供給対象への燃料供給が供給中断又は停止された状態にあることを検出した場合は、ステップＳ570〜Ｓ585に示した給油作業中状態における表示状態切換処理を、省エネ表示制御部として行う。
【００６０】
この表示状態切換処理では、制御装置３０は、まず、給油情報表示器２０に設けられている状態表示器２５の省エネ状態案内ランプ２７を点滅駆動させて（Ｓ570）、バックライトフラグｂｆ(ｎ)の各個別表示器２１、すなわち単価表示器２２，給油量表示器２３，給油金額表示器２４の識別を表す変数ｎを、ｎ＝１に初期設定する（Ｓ581）。
【００６１】
その上で、制御装置３０は、最初にｎ＝１である単価表示器２２のバックライトフラグｂｆ(１)の設定記憶内容が点灯状態を指示及び記憶したｂｆ(１)＝１になっているか否かを確認する（Ｓ582）。この確認により、単価表示器２２のバックライトフラグｂｆ(１)の設定記憶内容が点灯状態になっていれば、単価表示器２２のバックライトフラグｂｆ(１)の設定記憶内容をｂｆ(１)＝２に更新し、次のバックライト処理で、単価表示器２２のバックライトの状態が点灯状態から点滅状態に切り換えられるようにする（Ｓ583）。これに対し、単価表示器２２のバックライトフラグｂｆ(１)の設定記憶内容が点灯状態以外であれば、その状態を変化させない。
【００６２】
そして、制御装置３０は、バックライトフラグｂｆ(ｎ)の変数ｎをインクリメントして（Ｓ584）、その余の給油量表示器２３（＝ｂｆ(２)），給油金額表示器２４（＝ｂｆ(３)）それぞれについても、上述したＳ582，Ｓ583で示した表示状態切換処理を行う（Ｓ585）。これにより、単価表示器２２，給油量表示器２３，給油金額表示器２４それぞれのＳ582，Ｓ583で示した表示状態切換処理を終了したならば、制御装置３０は、図５で説明したように、ステップＳ230で給油作業の終了が確認されていない場合は、給油作業中状態での省エネ表示制御を、ステップＳ510に示したバックライト処理に戻り、繰り返して行う。
【００６３】
この表示状態切換処理によって、給油作業中状態において供給対象への燃料供給が供給中断又は停止された状態になった場合は、単価表示器２２，給油量表示器２３，給油金額表示器２４それぞれの中の点灯状態になっているバックライトが点滅状態にして、バックライトが点灯状態にあった個別表示器２１の消費電力の抑制をはかるとともに、視覚的に供給対象への燃料供給が供給中断又は停止され状態になっていることを報知できるようになっている。
【００６４】
これに対し、上述した供給対象への燃料供給が供給中断又は停止され状態から供給中状態への復帰も含めて、前述したステップＳ560で、給油量演算表示部として演算した計数値ｘ、すなわち供給対象に対しての給油量に変化があることが確認された場合は、ステップＳ591〜Ｓ597に示した給油作業中状態における表示状態切換処理を、省エネ表示制御部として行う。
【００６５】
この表示状態切換処理では、制御装置３０は、まず、バックライトフラグｂｆ(ｎ)の各個別表示器２１、すなわち単価表示器２２，給油量表示器２３，給油金額表示器２４の識別を表す変数ｎを、ｎ＝１に初期設定する（Ｓ591）。
【００６６】
その上で、制御装置３０は、最初にｎ＝１である単価表示器２２のバックライトフラグｂｆ(１)の設定記憶内容が点滅状態を指示及び記憶したｂｆ(１)＝２になっているか否かを確認する（Ｓ592）。この確認により、単価表示器２２のバックライトフラグｂｆ(１)の設定記憶内容が点滅状態になっていれば、単価表示器２２のバックライトフラグｂｆ(１)の設定記憶内容をｂｆ(１)＝１に更新し、次のバックライト処理で、単価表示器２２のバックライトの状態が点滅状態から点灯状態に切り換えられるようにする（Ｓ593）。これに対し、単価表示器２２のバックライトフラグｂｆ(１)の設定記憶内容が点滅状態以外であれば、その状態を変化させない。
【００６７】
そして、制御装置３０は、バックライトフラグｂｆ(ｎ)の変数ｎをインクリメントして（Ｓ584）、その余の給油量表示器２３（＝ｂｆ(２)），給油金額表示器２４（＝ｂｆ(３)）それぞれについても、上述したＳ592，Ｓ593で示した表示状態切換処理を行う（Ｓ595）。
【００６８】
これにより、単価表示器２２，給油量表示器２３，給油金額表示器２４それぞれのＳ582，Ｓ583で示した表示状態切換処理を終了したならば、制御装置３０は、従前のステップＳ570の処理の実行により、給油情報表示器２０に設けられている状態表示器２５の省エネ状態案内ランプ２７が点滅駆動中であるか否かを確認する（Ｓ596）。そして、点滅駆動中である場合には、状態表示器２５の省エネ状態案内ランプ２７を消灯する（Ｓ597）。
【００６９】
その後、制御装置３０は、図５で説明したように、ステップＳ230で給油作業の終了が確認されていない場合は、給油作業中状態での省エネ表示制御を、ステップＳ510に示したバックライト処理に戻り、繰り返して行う。
【００７０】
この表示状態切換処理によって、給油作業中状態において供給対象への燃料供給が行われている場合は、単価表示器２２，給油量表示器２３，給油金額表示器２４それぞれは、バックライトフラグｂｆ(ｎ)に記憶されている指示記憶内容に基づいて点灯又は消灯され、かつ少なくとも給油量表示器２３のバックライトフラグｂｆ(１)の指示記憶内容については、バックライトの点灯状態が指示されているので、燃料供給中における給油量等の確認が行い易いようになっている。
【００７１】
次に、これら図４，図５，図６に示したフローチャートにおいて、ステップＳ030，Ｓ110，Ｓ510でそれぞれ示した個別表示器のバックライト処理の詳細について、図７に基づいて説明する。
【００７２】
図７は  それぞれ液晶ディスプレイにより構成された個別表示器のバックライト処理の一実施例を示したフローチャートである。
【００７３】
個別表示器２１のバックライト処理では、制御装置３０は、まず、バックライトフラグｂｆ(ｎ)の各個別表示器２１、すなわち単価表示器２２，給油量表示器２３，給油金額表示器２４の識別を表す変数ｎを、ｎ＝１に初期設定する（Ｓ610）。
【００７４】
その上で、制御装置３０は、最初にｎ＝１である単価表示器２２のバックライトフラグｂｆ(１)の設定記憶内容を確認し（Ｓ620）、その設定記憶内容に応じて、単価表示器２２のバックライトを駆動制御する。具体的には、バックライトフラグｂｆ(１) の設定記憶内容がｂｆ(１)＝０である場合はそのバックライトを消灯し（Ｓ630）、ｂｆ(１)＝１である場合はそのバックライトを点灯し（Ｓ640）、ｂｆ(１)＝２である場合はそのバックライトを点滅する（Ｓ650）。そして、制御装置３０は、バックライトフラグｂｆ(ｎ)の変数ｎをインクリメントして（Ｓ660）、その余の給油量表示器２３（＝ｂｆ(２)），給油金額表示器２４（＝ｂｆ(３)）それぞれについても、上述したＳ620〜Ｓ650で示したバックライトの駆動制御処理を行う（Ｓ670）。このようにして、ステップＳ030，Ｓ110，Ｓ510でそれぞれ示した各個別表示器２１のバックライトの駆動制御処理を実行終了したならば（Ｓ670）、制御装置３０は、ステップＳ030，Ｓ110，Ｓ510に続く処理を行う。
【００７５】
本実施例に係る給油装置によれば、予めバックライトoff機能フラグｗｆの設定記憶内容をｗｆ＝２に設定し、給油作業が行われていない待機中である場合に、所定の個別表示器２１のみ、すなわち本実施例では、給油量表示器２３のみのバックライトだけを点灯状態に、その余の単価表示器２２及び給油金額表示器２４のバックライトの駆動電源は落とされた消灯状態に指示しておけば、新たな供給対象への燃料供給作業が行われない待機中であるときには、給油情報表示器２０の駆動電力の節電すなわち省エネルギー化が図れるとともに、かつ作業者は燃料供給装置が燃料供給作業に使用可能であることを、唯一バックライトが点灯状態にある給油量表示器２３の表示から、確実かつ容易に理解することができる。
【００７６】
また、仮に、予めバックライトoff機能フラグｗｆの設定記憶内容をｗｆ＝１に設定し、給油作業が行われていない待機中である場合に、個別表示器２１（２１-１，２１-２，…，２１-ｎ）全て、すなわち、本実施例では、単価表示器２２、給油量表示器２３、給油金額表示器２４それぞれのバックライトの駆動電源が落とされた消灯状態に指示しておく場合であっても、図４に示したフローチャートにおいて、ステップＳ083で示すように、状態表示器２５の省エネ状態案内ランプ２７を点灯させるあるいは点灯維持するようにしておけば、新たな供給対象への燃料供給作業が行われない待機中であるときには、給油情報表示器２０の駆動電力の節電すなわち省エネルギー化が図れるとともに、かつ作業者は燃料供給装置が燃料供給作業に使用可能であることを、点灯状態にある状態表示器２５の省エネ状態案内ランプ２７から、確実かつ容易に理解することができる。
【００７７】
なお、上述した実施例では、給油装置の型式は、地上設置式の給油装置を例に説明したが、懸垂式給油装置等、他の型式の燃料供給装置であっても変わることはない。
【００７８】
以上のように、本発明に係る燃料供給装置の一実施の形態としての給油装置１は構成されるが、本発明に係る燃料供給装置の実施形態は上記説明した実施例の構成に限定されるものではなく、これ以外にも種々の変形例の採用が可能である。
【符号の説明】
【００７９】
１  給油装置、  ２  給油装置本体、  １１  ポンプ、  １２  ポンプモータ、
１３  流量計、  １４  流量発信器、  １５  内部配管、  １６  給油ホース、
１７  給油ノズル、  １８  ノズル収納部、  １９  ノズルスイッチ、
２０  給油情報表示器、  ２１  個別表示器、  ２２  単価表示器、
２３  給油量表示器、  ２４  給油金額表示器、  ２５  状態表示器、
２６  低消費電力表示素子、  ２７  省エネ状態案内ランプ、
２８  メンテナンス情報案内ランプ、２９  異常時警報ランプ、
３０  制御装置、  ３５  人検知センサ、
４１  地下配管、  ４２  地下タンク。
【図１】
0006444639.tif 000002
【図２】
0006444639.tif 000003
【図３】
0006444639.tif 000004
【図４】
0006444639.tif 000005
【図５】
0006444639.tif 000006
【図６】
0006444639.tif 000007
【図７】
0006444639.tif 000008